(57)【要約】【課題】真夏など気温の高い時期にも利用し易くするために水を使用しながら、水の処理のための設備のない環境に設置することができる遊具を提供する。【解決手段】遊戯要素１０及び遊戯要素を設置面に支持させる支持構造体２０からなる遊具本体を備える遊具１の構成を、ノズル４４から水を噴霧する噴霧器４０，４０ｂが遊具本体に取り付けられており、噴霧器に水を供給する管状部材が、遊具本体の一部を構成するパイプ２１の内部に配管されている構成とする。【選択図】図１
2018086222.tif 000002
【特許請求の範囲】
【請求項１】
遊戯要素及び該遊戯要素を設置面に支持させる支持構造体からなる遊具本体を備える遊具であり、
ノズルから水を噴霧する噴霧器が前記遊具本体に取り付けられており、
前記噴霧器に水を供給する管状部材が、前記遊具本体の一部を構成するパイプの内部に配管されている
ことを特徴とする遊具。
【請求項２】
前記噴霧器は、前記遊具本体に対して着脱可能であり、
前記管状部材は、前記噴霧器に対して着脱可能な可撓性のホースである
ことを特徴とする請求項１に記載の遊具。
【請求項３】
前記噴霧器は、前記ノズルの噴霧方向を前記遊戯要素に向けている
ことを特徴とする請求項１または請求項２に記載の遊具。
【請求項４】
請求項１乃至請求項３の何れか一つに記載の遊具が設置面に設置されている遊具の設置構造であり、
前記設置面には、水を受けて貯める設備及び排水設備が設けられていない
ことを特徴とする遊戯具の設置構造。
【発明の詳細な説明】
【技術分野】
【０００１】
本発明は、公園や遊園地等に設置される遊具、及び、該遊具の設置構造に関するものである。
【背景技術】
【０００２】
公園、遊園地、幼稚園や保育園の庭等には、滑り台や雲梯などの遊戯要素を有する遊具が設置されている。このような遊具は、真夏など気温の高い時期には、あまり利用されていないのが実情である。
【０００３】
一方、大型の遊園地などには、「ウォーターパーク」と称されている遊戯施設があり、水を大量に使用する遊具を備えている。例えば、滑走面に沿って大量の水を流下させ、利用者が水と一緒に滑り降りる滑り台や、高い位置に大型のバケツが設置されており、水で満杯になったバケツが定期的に傾倒することにより、その下方で全身に水を浴びて楽しむ遊具などである。また、本出願人も過去に、噴水でありながら登ったり抱きついたりして遊ぶことができる遊具を提案している（現時点で出願公開前であるため、公知文献に該当しない）。これらの遊具は、濡れることを前提として水着等を着用して楽しむものであり、真夏など気温の高い時期に人気が高い。
【０００４】
しかしながら、このように水を大量に使用する遊具は、使用後の水の処理のための設備が必要である。例えば、大量の水で設置面がぬかるむことを防ぐために、設置面にコンクリートを打設して水を受ける構造とし、排水設備を設ける必要がある。更に、水を循環させて使用する場合は、集水のためのプール状の設備、ゴミ等の異物を水から除くためのろ過設備、水を滅菌消毒するための設備、水を循環させるためのポンプ等、多様な設備が必要である。そのため、遊具の導入のためにも運転・維持のためにも、多大なコストがかかる。
【０００５】
そこで、本出願人は、従来のウォーターパークの遊具とは異なるコンセプトの遊具として、真夏など気温の高い時期にも利用し易くするために水を使用しながら、水の処理のための設備のない環境に設置することができる遊具を、提供しようと考えた。
【発明の概要】
【発明が解決しようとする課題】
【０００６】
上記のように、本発明は、真夏など気温の高い時期にも利用し易くするために水を使用しながら、水の処理のための設備のない環境に設置することができる遊具、及び、該遊具の設置構造の提供を、課題とするものである。
【課題を解決するための手段】
【０００７】
上記の課題を解決するため、本発明にかかる遊具は、
「遊戯要素及び該遊戯要素を設置面に支持させる支持構造体からなる遊具本体を備える遊具であり、
ノズルから水を噴霧する噴霧器が前記遊具本体に取り付けられており、
前記噴霧器に水を供給する管状部材が、前記遊具本体の一部を構成するパイプの内部に配管されている」ものである。
【０００８】
遊戯要素としては、直線的に傾斜している滑走面または湾曲しつつ傾斜している滑走面を滑り降りて遊ぶ滑り台、横方向に渡したはしご状の部材や横方向に連設した多数のリングを手でつかんで懸垂移動する雲梯、プレート状の本体に設けられた複数の孔部や、壁体に設けられた複数の突起、垂直なポールに間隔をあけて取り付けられた円盤、或いは波形に湾曲させたパイプ、等をそれぞれ足掛かり手掛かりとして昇り降りするクライマー、連設された多数のポールそれぞれに異なる高さに支持された足場を渡り歩くトレッキング、ネットで形成された橋をバランスと取りながら渡るネットブリッジを、例示することができる。
【０００９】
本構成の遊具では、噴霧器から水が噴霧される。噴霧は、連続的なものとすることも、間欠的に行われるものとすることもできる。ミストで涼しさを感じることができると共に、環境の温度を低下させることができるため、真夏など気温の高い時期にも利用しやすい遊具となる。一方、冬季など気温の低い時期には、噴霧器への水の供給を止めれば、通常の遊具として使用することができる。
【００１０】
ミストは少量の水で発生させることができ、空中で霧散するため、水を受ける設備や排水設備を必要としない。そのため、町の公園や一般的な幼稚園・保育園の庭など、ウォーターパークとは異なり水の処理のための設備のない“ドライな環境”に、設置して使用することができる。このように、水を使用しながら“ドライな環境”に設置できる本構成の遊具は、非常に斬新なものである。
【００１１】
また、水を受ける設備や排水設備を必要としないことに加えて、集水の設備、ろ過設備、水を滅菌消毒する設備、水を循環させるためのポンプ、等の水を循環させる設備も必要ないため、導入のためのコストも運転・維持のためのコストも低く抑えることができる。
【００１２】
ここで、遊具には、安全に関する基準によって「安全領域」が定められている。安全領域とは、遊具本体の外形から全方向に所定長さの領域であり、ポールやフェンス等の障害物が存在してはならない領域である。そのため、安全領域には、水を噴霧するための構成を設けることができない。これに対し、本構成の遊具では、噴霧器が遊具本体に取り付けられていると共に、噴霧器に水を供給する管状部材が遊具本体の一部を構成するパイプの内部に配管されているため、問題なく安全領域を確保しつつ、ミストを噴霧する位置を高い自由度で設定することができる。なお、管状部材が配管される「遊具本体の一部を構成するパイプ」は、支持構造体を構成するパイプであっても遊戯要素を構成するパイプであっても良い。
【００１３】
また、噴霧器に水を供給する管状部材が遊具本体の一部を構成するパイプの内部に配管されており、噴霧器が遊具本体に取り付けられているため、噴霧器の位置をどこに設定しても、遊具本体の近傍でミストが噴霧される。従って、ミストが噴霧されている涼しい環境で、遊ぶことができる。
【００１４】
本発明にかかる遊具は、上記構成に加え、
「前記噴霧器は、前記遊具本体に対して着脱可能であり、
前記管状部材は、前記噴霧器に対して着脱可能な可撓性のホースである」ものとすることができる。
【００１５】
本構成では、噴霧器が遊具本体に対して着脱可能であるため、冬季など気温が低くミストを噴霧しない時期に、噴霧器を遊具本体から取り外しておくことができる。加えて、噴霧器に水を供給する管状部材も噴霧器に対して着脱可能であり、且つ、可撓性のホースであるため、噴霧器を遊具本体から取り外した状態で、管状部材をパイプから引き抜くことができる。そのため、ミストを噴霧しない時期に管状部材を遊具本体から取り外しておくことができると共に、管状部材の交換などのメンテナンスの作業が容易である。
【００１６】
本発明にかかる遊具は、上記構成に加え、
「前記噴霧器は、前記ノズルの噴霧方向を前記遊戯要素に向けている」ものとすることができる。
【００１７】
本構成では、ノズルから遊戯要素に向けてミストが噴霧されるため、遊具の利用者の動線上にミストが噴霧されることとなる。従って、ミストによって涼しさを感じさせ、気温を低下させる作用効果を、利用者に対してより効果的に発揮させることができる。
【００１８】
次に、本発明にかかる遊具の設置構造は、
「上記に記載の遊具が設置面に設置されている遊具の設置構造であり、
前記設置面には、水を受けて貯める設備及び排水設備が設けられていない」ものである。
【００１９】
これは、水を受けて貯める設備及び排水設備が設置面に設けられていない“ドライな環境”に、上記構成の遊具が設置されている構造である。水を使用する遊具でありながら、水の使用を前提としていない構造の設置面に設置されている、非常に斬新な構造である。
【発明の効果】
【００２０】
以上のように、本発明の効果として、真夏など気温の高い時期にも利用し易くするために水を使用しながら、水の処理のための設備のない環境に設置することができる遊具、及び、該遊具の設置構造を、提供することができる。
【図面の簡単な説明】
【００２１】
【図１】本発明の一実施形態である遊具の斜視図である。
【図２】図１の遊具における要部の（ａ）平面図、及び、（ｂ）側面図である。
【図３】図１の遊具における要部の（ａ）分解平面図、及び、（ｂ）分解側面図である。
【図４】（ａ），（ｂ）図１の遊具のパイプ内部における管状部材の配管を説明する断面図である。
【図５】管状部材へ水を供給する構成の説明図である。
【図６】他の実施形態の遊具の斜視図である。
【発明を実施するための形態】
【００２２】
以下、本発明の一実施形態である遊具１、及び、遊具１の設置構造について、図１乃至図５を用いて説明する。遊具１は、遊戯要素１０及び遊戯要素１０を設置面９０に支持させる支持構造体２０からなる遊具本体と、ノズル４４から水を噴霧する噴霧器４０，４０ｂと、噴霧器４０，４０ｂに水を供給する管状部材５０と、を具備している。
【００２３】
より具体的に説明すると、本実施形態における遊戯要素１０は滑り台であり、設置面９０より高い位置に支持されている上部プレート１２と、上部プレート１２に上端が接続されており上部プレート１２から設置面９０まで傾斜している滑走面１１と、設置面９０から上部プレート１２まで至り、上部プレート１２に上端が接続されている階段１３と、滑走面１１との接続部及び階段１３との接続部を除く部分で上部プレート１２の周縁から立ち上がっているフェンス１４と、を備えている。
【００２４】
支持構造体２０は、設置面９０から立設されて上部プレート１２を支持している四つの立壁２２ｗからなり、上部プレート１２と設置面９０とで直方体を形成しているベース部２２と、ベース部２２の四隅に位置して設置面９０から立設されており、ベース部２２による上部プレート１２の支持を補強していると共に、上部プレート１２に接続された滑走面１１及び階段１３の支持を補強している四本のパイプ２１と、設置面９０に階段１３を支持させている階段支持部２３と、を備えている。ベース部２２を構成する立壁２２ｗの一つには点検口２２ｉが貫設されており、常時は蓋２２ｃで覆われている。
【００２５】
噴霧器４０，４０ｂは、四本のパイプ２１のうちの三本に取り付けられている。噴霧器４０，４０ｂには、パイプ２１の一本に片持ちされている噴霧器４０と、パイプ２１の二本に架け渡されている噴霧器４０ｂとがある。これらの噴霧器４０，４０ｂが取り付けられているパイプ２１は、短い分岐管３０を上部に備えていると共に、下部にも短い分岐管３０ｂを備えている。上部の分岐管３０は、開口の周縁から外方に張り出したフランジ部３１を有している。
【００２６】
噴霧器４０は、一端が閉端である円筒状であり、他端は側周面の径より小径の孔部を残して封止された上で、孔部にニップル４６が取り付けられている。そして、噴霧器４０は、ニップル４６が突出している側の端部に、側周面の端縁から外方に張り出したフランジ部４１を有している。また、噴霧器４０の側周面には、水を霧状に噴出させるノズル４４が複数設けられている。
【００２７】
管状部材５０は可撓性のホースであり、下部の分岐管３０ｂ及び上部の分岐管３０を介してパイプ２１の内部に挿入されている。管状部材５０は、噴霧器４０のニップル４６に着脱可能に接続されるソケット５６を上端部に有していると共に、後述する給水管６２のニップル６７に着脱可能に接続されるソケット５７を下端部に有している。パイプ２１を挿通している管状部材５０の上端部を分岐管３０の開口３５に臨ませ、そのソケット５６を噴霧器４０のニップル４６に接続した上で、分岐管３０のフランジ部３１に噴霧器４０のフランジ部４１を重ね合わせ、両フランジ部３１，４１をボルトとナットで締結すれば、パイプ２１に対して噴霧器４０が取り付けられる。
【００２８】
噴霧器４０ｂは、噴霧器４０とほぼ同様の構成であるが、閉端（ニップル４６が突出している側とは反対側の端部）側にもフランジ部４１を有している点で相違している。隣接している二本のパイプ２１の一方を挿通している管状部材５０のソケット５６を噴霧器４０ｂのニップル４６に接続した上で、両端部のフランジ部４１それぞれを、隣接しているパイプ２１の分岐管３０のフランジ部３１に重ね合わせて締結することにより、噴霧器４０ｂは二本のパイプ２１に取り付けられる。つまり、噴霧器４０ｂは、二本のパイプ２１に連結されているが、その内部空間は、一方のパイプ２１を挿通している管状部材５０のみと連通している。
【００２９】
なお、本実施形態では、噴霧器４０ｂは滑り台の滑走面１１の上端の両側に位置する二本のパイプ２１に架け渡されており、噴霧器４０ｂのノズル４４は噴霧方向を下方に向けている。
【００３０】
管状部材５０には、給水管６１，６２を介して水が供給される。これらの給水管６１，６２は、ベース部２２の内部空間で配管されている。具体的には、遊具１まで水を移送する給水管６１が設置面９０の地下に配されており、給水管６１の先端はベース部２２の内部空間に引き入れられた上で、分岐管６３を介して複数の給水管６２と接続されている。給水管６２は、管状部材５０の数、すなわち噴霧器４０，４０ｂの数と同数ある。複数の管状部材５０それぞれは、その下端部が分岐管３０ｂを介してパイプ２１から引き出され、立壁２２ｗを貫通する孔部２２ｈを介してベース部２２の内部空間に引き入れられており、そのソケット５７が給水管６２のニップル６７に接続されている。
【００３１】
上記構成の遊具１では、図示しない加圧ポンプによって連続的または間欠的に給水管６１に水を圧送することにより、給水管６２から管状部材５０を経て噴霧器４０，４０ｂ内に水が圧入され、ノズル４４からミストが噴霧される。ミストは、見て涼しさを感じ、肌に触れて涼しさを感じると共に、環境の温度を低下させることができるため、真夏など気温の高い時期にも利用しやすい遊具１となる。実際に本実施形態の遊具１では、三つの噴霧器４０，４０ｂからミストを噴霧することにより、真夏であっても遊具１の周辺の温度が２〜３℃低下する。
【００３２】
ミストは少量の水で発生させることができる。三つの噴霧器４０，４０ｂからミストを噴霧する本実施形態の遊具１では、水の使用量は１時間当たり僅か１９リットル程度（バケツ一杯弱）である。ミストは空中で霧散するため、水を受ける設備や排水設備を必要としない。そのため、遊具１は、水の処理のための設備のない“ドライな環境”に、設置される。すなわち、水を受けて貯める設備及び排水設備が設けられていない設置面９０に遊具１が設置されている設置構造、が形成される。
【００３３】
また、ミストを発生させる噴霧器４０，４０ｂは、遊具本体の一部を構成するパイプ２１に取り付けられており、噴霧器４０，４０ｂに水を供給する管状部材５０がパイプ２１の内部に配管されていると共に、管状部材５０に水を供給する給水管６２はベース部２２の内部空間で配管されており、遊具１まで水を移送する給水管６１は地下に配されている。つまり、ミストを発生させるための構成は、何れも遊具本体から露出していない。従って、遊具本体の外形から全方向に所定長さの領域であって障害物が存在してはならない「安全領域」が、問題なく確保されている。
【００３４】
更に、噴霧器４０，４０ｂのフランジ部４１とパイプ２１のフランジ部３１との締結を解除し、噴霧器４０，４０ｂのニップル４６から管状部材５０のソケット５６を外せば、噴霧器４０，４０ｂをパイプ２１から取り外すことができる。従って、冬季など気温が低くミストを噴霧しない時期に、噴霧器４０，４０ｂを遊具本体から取り外しておくことができる。
【００３５】
加えて、管状部材５０は可撓性のホースであるため、ミストを発生させない時期にはパイプ２１から引き抜いて、ベース部２２の内部空間に収納することができる。また、管状部材５０のソケット５７を給水管６２のニップル６７から外せば、管状部材５０を交換することができる。ベース部２２には点検口２２ｉが設けられているため、管状部材５０と給水管６２との接続やその解除の作業を、点検口２２ｉを介して容易に行うことができる。また、給水管６１，６２の配管の点検などのメンテナンスの作業も、点検口２２ｉを介して行うことができる。
【００３６】
更に、噴霧器４０ｂは滑り台の滑走面１１の上端における上方に位置しており、ノズル４４の噴霧方向を下方に向けている。そのため、滑走面１１を滑り降りようとしている利用者に向けてミストが吹き付けられることとなり、ミストによる涼しさを、利用者がより感じ易いものとなっている。
【００３７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００３８】
例えば、上記の実施形態では、四本のパイプ２１のうち三本に噴霧器４０，４０ｂが取り付けられている場合を例示したが、噴霧器４０，４０ｂの数は特に限定されない。また、一つの管状部材５０が一本のパイプ２１を挿通している場合を例示したが、管状部材５０は可撓性を有しているため、内部空間が連通している複数のパイプ２１を通るように配することもできる。また、管状部材５０が挿通しているパイプ２１が、支持構造体２０を構成しているパイプ２１である場合を例示したが、遊戯要素１０を構成しているパイプに管状部材５０を通してもよい。
【００３９】
また、上記の実施形態では、遊戯要素が滑り台である場合を例示したが、遊戯要素の種類は特に限定されず、図６に例示するように、複数の遊戯要素を備える遊具２が、噴霧器４０，４０ｂをも備えている構成とすることができる。図６の遊具２は、滑り台である遊戯要素１０の他、プレート状の本体に設けられた孔部を足掛かり手掛かりとして昇り降りする遊戯要素１０ｂ、壁体に設けられた突起を足掛かり手掛かりとして昇り降りする遊戯要素１０ｃ、ネットで形成された橋をバランスと取りながら渡る遊戯要素１０ｄ、垂直なポールに間隔をあけて取り付けられた円盤を足掛かり手掛かりとして昇り降りする遊戯要素１０ｅを備えている。なお、図６では、上記実施形態の遊具１と同一の構成について、同一の符号を付している。
【符号の説明】
【００４０】
１  遊具
１０  遊戯要素
２０  支持構造体
２１  パイプ
４０，４０ｂ  噴霧器
４４  ノズル
５０  管状部材
９０  設置面
【図１】
2018086222.tif 000003
【図２】
2018086222.tif 000004
【図３】
2018086222.tif 000005
【図４】
2018086222.tif 000006
【図５】
2018086222.tif 000007
【図６】
2018086222.tif 000008